(57)【要約】【課題】ユーザが容易に受信状態の良い位置あるいは方向に関する情報を入手可能な携帯端末を提供する。【解決手段】本発明にかかる携帯端末は、無線信号を受信する位置あるいは方向と前記無線信号のエラーレートとの対応を示す受信エリア情報を保持し、無線信号を受信し、受信した無線信号を復号化し、復号した際に発生した無線信号エラーレートを検出し、検出されたエラーレートが閾値を超えていた場合にエラーレートが閾値以下である位置あるいは方向を前記受信エリア情報から検索し、検索した結果を用いて前記携帯端末のユーザに移動を促すメッセージを表示する。【選択図】  図１
2008099154.tif 000002
【特許請求の範囲】
【請求項１】
表示手段を備えた携帯端末であって、
無線信号を受信する受信手段と、
前記受信手段で受信した無線信号を復号化する復号手段と、
前記復号手段で前記無線信号を復号した際に発生した無線信号エラーレートを検出するエラーレート検出手段と、
前記携帯端末の現在位置を検出する位置検出手段と、
前記携帯端末の向きを検出する向き情報検出手段と、
無線信号を受信する位置及び方向と前記無線信号のエラーレートとの対応を示す受信エリア情報を保持する保持手段と、
前記エラーレート検出手段により検出されたエラーレートが閾値を超えていた場合、エラーレートが閾値以下である位置及び向きを前記受信エリア情報から検索し、前記携帯端末のユーザに移動を促すメッセージを表示するように前記表示手段を制御する制御手段と、
を備えることを特徴とする携帯端末。
【請求項２】
請求項１に記載の制御手段は、前記エラーレート検出手段により検出したエラーレートを用いて、前記保持手段に記憶された前記受信エリア情報を更新することを特徴とする携帯端末。
【請求項３】
請求項１または２に記載の携帯端末は現在時刻を取得する時刻取得手段を備え、前記保持手段は時刻ごとに受信エリア情報を保持し、前記制御手段は、前記時刻取得手段により取得した現在時刻に対応する受信エリア情報を前記保持手段から読み出し、エラーレートが閾値以下である位置及び向きを検索することを特徴とする携帯端末。
【請求項４】
請求項１ないし３のいずれかに記載の無線信号は、放送局から送信されるテレビ放送信号であることを特徴とする携帯端末。
【請求項５】
無線信号を受信可能な携帯端末を制御する制御方法であって、
無線信号を受信する位置あるいは方向と前記無線信号のエラーレートとの対応を示す受信エリア情報を保持し、
無線信号を受信し、
受信した無線信号を復号化し、
復号した際に発生した無線信号エラーレートを検出し、
検出されたエラーレートが閾値を超えていた場合、エラーレートが閾値以下である位置あるいは方向を前記受信エリア情報から検索し、
検索した結果を用いて前記携帯端末のユーザに移動を促すメッセージを表示することを特徴とする制御方法。
【請求項６】
請求項５に記載の無線信号は、放送局から送信されるテレビ放送信号であることを特徴とする制御方法。
【発明の詳細な説明】
【技術分野】
【０００１】
本発明は、TV放送信号などの無線信号を受信可能な携帯端末に関する。
【背景技術】
【０００２】
特許文献１には、携帯端末のユーザが、基地局からの電波の受信感度が悪化したと感じた際に無線品質良好位置情報の要求を入力すると、携帯端末からサーバに品質良好位置の要求を行う方法が記載されている。この方法では、サーバは品質分布を保存したデータベースを参照して、より電波状態の良い地点を示す情報を携帯端末へ返信し、携帯端末は品質良好位置情報を画面に表示する。
【０００３】
【特許文献１】特開２００３−１９９１５８号公報
【発明の開示】
【発明が解決しようとする課題】
【０００４】
特許文献１の方法では、ユーザからの要求によってデータベースを参照するものであり、ユーザが能動的に確認作業を行わない限り情報を入手することが出来ない。また、基地局との間の電波の受信感度が悪い場合には、サーバから無線品質が良好な位置を示す情報を入手できない可能性がある。  そこで、本発明は、ユーザが容易に受信状態の良い位置あるいは方向に関する情報を入手可能な携帯端末を提供することを目的とする。
【課題を解決するための手段】
【０００５】
本発明にかかる携帯端末は、無線信号を受信する位置あるいは方向と前記無線信号のエラーレートとの対応を示す受信エリア情報を保持し、無線信号を受信し、受信した無線信号を復号化し、復号した際に発生した無線信号エラーレートを検出し、検出されたエラーレートが閾値を超えていた場合にエラーレートが閾値以下である位置あるいは方向を前記受信エリア情報から検索し、検索した結果を用いて前記携帯端末のユーザに移動を促すメッセージを表示することを特徴とする。
【発明の効果】
【０００６】
本発明によれば、ユーザが容易に受信状態の良い位置あるいは方向に関する情報を入手可能な携帯端末を提供することができる。
【発明を実施するための最良の形態】
【０００７】
図１は、ディジタルＴＶ放送のストリームを受信可能であり、最適な電波状況にて放送を受信するための電波受信誘導機能を備えた携帯端末の一例を示す概略構成図である。なお、以下、ディジタルTV放送信号を受信する場合を例にとって説明するが、本発明の適用をTV放送信号の受信に限定するものではなく、TV放送信号以外の無線信号を受信する場合に適用しても良い。
【０００８】
携帯端末１は、TV放送受信部１０１、TV放送復号部１０２、エラーレート検出部１０３、制御部１０４、受信エリア情報保持部１０５、位置情報検出部１０６、向き情報検出部１０７、表示部１０８を備える。
【０００９】
以下、携帯端末１において良好な電波状況にて放送を受信する方法について説明する。図２は、良好な電波状況を得るための位置および方向を検索する手順の一例を示すフローチャートである。
【００１０】
TV放送受信部１０１は、放送局からのディジタルTV放送ストリームを受信すると(S1001)、受信したTV放送ストリームをTV放送復号部１０２に出力する。TV放送復号部１０２はTV放送ストリームを復号し、復号時に発生したエラー情報をエラーレート検出部１０３に出力する(S1002)。
【００１１】
エラーレート検出部１０３は、このエラー情報の単位時間当たりにおける発生量(エラーレート)を計算し(S1003)、所定間隔で制御部１０４に通知する。エラーレート通知の間隔は任意に設定可能であり、例えば３０フレーム辺り(１秒)と設定された場合、３０フレームに１回エラーレート検出部１０３から制御部１０４に、３０フレームあたりの累積エラーレートが通知される。また、エラーレート検出部１０３は所定間隔でのエラーレート通知ではなく、例えばエラーが1000回発生したら通知を行う等、エラー発生の累積値が設定値を超えた場合に制御部１０４に通知を行う構成としても良い。
【００１２】
制御部１０４は、この通知されたエラーレートとあらかじめ設定された閾値とを比較する(S1004)。エラーレートが閾値を超えていた場合、受信エリア情報保持部１０５から受信エリア情報を読み出す(S1005)。なお、エラーレート検出部１０３がエラー発生の累積値が設定値を超えた場合に制御部１０４に通知するように設定していた場合は、S1004を省略し、S1005において受信エリア情報保持部１０５から受信エリア情報を読み出すようにする。また、制御部１０４は、位置情報検出部１０５に携帯端末１の現在位置を示す位置情報を通知するように求める位置通知要求を出力し、向き情報検出部１０６に携帯端末１が現在どちらを向いているのかを示す向き情報を通知するように求める向き通知要求を出力する(S1006)。なお、向き情報検出部１０６は、例えば地磁気センサで構成する。
【００１３】
ここで、受信エリア情報とは、例えば、所定のエリアに縦横1mおきに受信ポイントを設定し、受信ポイントにおける８方向の受信感度を記録したものである。なお、この際の領域分割の単位はいくつでもよく、方向もいくつに細分化しても良い。但し、細かく受信ポイントを設置したほうがより正確な情報を得ることができる。
【００１４】
図３に受信ポイントを設置した状況例を示すイメージ図を、図４に受信エリア情報のデータ構成の一例を示す。図３、７において、（0,0）や（3,3）などの座標により携帯端末１の位置を示している。また、本例では、N(北)、NE(北東)、E(東)、SE(南東)、S（南）、SW（南西）、W（西）、NW（北西）の８方向のエラーレートの検出を行う。
【００１５】
制御部１０４は、取得した位置情報と向き情報を用いて、受信エリア情報から現在位置に近く、エラーレートが閾値以下である、位置と向きを検索する。例えば、携帯端末１の現在位置が(3,1)で向きがEであった場合、まず、同じ位置でエラーレートが閾値以下(例えば100)の向きを検索する。検索の順番は放送局もしくは中継局の位置から遠ざかる方向に検索していく。例えば、放送局もしくは中継局が現在位置に対してNWに位置する場合、NWから順番にNW→N→W→NE→SW→E→S→SEの順にサーチしていく(順番は、NW→W→N→SW→NE→S→E→SEの順番でも良い)。図４に示すように、携帯端末１の現在位置が(3,1)の場合、全ての向きでエラーレートが閾値である100を超えているため、次に放送局もしくは中継局に(3,1)よりも近い(2,0)の位置にてNWから順番に、エラーレートが閾値を下回っている方向を検出するまでNW→N→W→NE→SW→E→S→SEの順にサーチしていく(順番は、NW→W→N→SW→NE→S→E→SEの順番でも良い)。本例では、(2,0)の位置において、NWの方向のエラーレートは閾値を下回っているため、これ以上のサーチは行わず、(2,0)方向への移動及びNW向きで視聴するようにユーザに変更を促す。
【００１６】
制御部１０４は、この位置と向きを表示部１０８を利用して、ユーザに通知する(S1007)。ユーザに通知する際の表示画面の一例を図５に示す。画面において、現在の位置を示すとともに、位置および視聴方向を変えるように促す通知を表示する。
【００１７】
このように、全ての方向を検索してから最適な方向を決定するのではなく、エラーレートが閾値を下回っている方向を検出しだいサーチを停止することにより、検索時間を減少し、早急にユーザに受信状態を改善可能な位置及び方向を通知することができる。
【００１８】
もし、(2,0)の全ての向きでエラーレートが閾値を上回っていた場合、(3,0)→(2,1)→(4,0)（図示せず）→(2,2)のように現在地の周りの位置におけるエラーレートの検索を行う。それでも全ての向きで閾値を上回っていた場合には、検索範囲を外周に変更し(1,-1)（図示せず）から順に同様の方法で検索を行う。
【００１９】
エラーレートが閾値以下であると判定後（Ｓ1004）、もしくはユーザへの移動通知表示後（Ｓ1007）、制御部１０４は、受信エリア情報保持部１０５を制御し、検出したエラーレートを用いて、受信エリア情報における現在位置と向きに対応するエラーレートを更新する(S1008)。例えば、エラーレートが60であった場合、現在位置および方向である(3,1)Eのエラーレートを60に更新する。
【００２０】
なお、放送局等の位置は、全国の放送局等の位置を予め携帯端末１に記憶しておき、ユーザが携帯端末１の使用を開始する際に、通常携帯端末１を用いる地域の放送局等を選択するようにしても良いし、位置情報検出部１０６において携帯端末１の現在位置を検出した際に、その現在位置に対応する放送局等を自動的に選択するようにしても良い。なお、後者の方法によれば、例えばユーザが旅行などにより他の地域に行った場合であっても、ユーザが操作することなしに、適切な放送局等を設定することができる。
【００２１】
以上のように、本例によれば、ディジタルＴＶ放送ストリームのエラーレートを所定間隔で判定あるいは、エラー発生の累積値が所定値を超えた場合に自動的に電波状況が良好な位置等の検索を行うため、ユーザはキー操作により検索要求を行うことなしに、現在位置よりも電波状況が良好な位置や方向を知ることができる。また、携帯端末内に受信エリア情報を記憶し、良好な位置等の検索を行うため、放送局や基地局との間の電波の受信感度が悪い場合であっても、電波状況が良好な位置や方向を知ることができる。
【００２２】
図６は、図１に示す携帯端末１に時刻情報取得部１０９を追加した例を示したものである。電波状況は、同じ位置や方向であっても、一日のうちの時間帯に応じて変化することがある。以下、図７を用いて、制御部１０４にて、時刻ごとのエリア情報を用いて、良好な電波状況を得るための位置および方向を検索する手順の説明を行う。
【００２３】
制御部１０４は、エラーレートが閾値を超えていた場合、もしくはエラーレート検出部１０３に単純累積値を通知するように設定していた場合、受信エリア情報保持部１０５から、時刻情報取得部１０９で示す現在時刻に従った受信エリア情報を読み出す(S1005)。また、制御部１０４は、位置情報検出部１０５に位置通知要求を出力し、向き情報検出部１０６に向き通知要求を出力し、時刻情報取得部１０９に現在時刻の通知を求める時刻通知要求を出力する(S1007)。
【００２４】
本例では、例えば図４に示す受信エリア情報を時間毎に保持し(AM10:00 to AM11:00のデータ、AM11:00 to AM12:00のデータのように別データを保持)、受信エリア情報保持部１０５は要求時の時刻に従った受信エリア情報を出力する。
【００２５】
制御部１０４は、現在時刻に対応する受信エリア情報を受信エリア情報保持部１０５から読み出し、携帯端末１の現在位置情報と向き情報を用いて、読み出した受信エリア情報から現在位置に近く、エラーレートが閾値以下である位置と向きを検索する。検索方法については、時間情報を利用していない場合と同様である。即ち、まず現在位置でエラーレートが閾値以下の向きを検索し、該当する方向がない場合、現在位置の近くでエラーレートが閾値以下の位置および方向がないかどうか、検索を行う。
【００２６】
制御部１０４は、エラーレートが閾値以下の位置および場所を検索すると、その位置と向きを表示部１０８を利用して、ユーザに通知する(S1007)。
【００２７】
このように、現在時刻をも用いて受信エリア情報の比較更新を行うことにより、ユーザの多い夕方の電波状況など、一日の中で変化し得る電波状況に対応して、電波状況の良好な位置や方向をユーザに通知することができる。
【００２８】
なお、以上の例では、電波状況が良好な位置および方向を検索しているが、位置のみを検索するようにしても良い。位置のみを検索することにより、より検索時間を減少することができる。但し、位置および方向の両方を検索し、ユーザに通知することにより、より的確にユーザに電波状況が良好な場所を知らせることができる。また、所定の位置における方向のみを検索するようにしても良い。
【図面の簡単な説明】
【００２９】
【図１】携帯端末の一例を示す概略構成図である。
【図２】良好な電波状況を得るための位置および方向を検索する手順の一例を示すフローチャートである。
【図３】受信ポイントを設置した状況例を示すイメージ図である。
【図４】受信エリア情報のデータ構成の一例を示す図である。
【図５】ユーザに通知する際の表示画面の一例を示す図である。
【図６】携帯端末の一例を示す概略構成図である。
【図７】良好な電波状況を得るための位置および方向を検索する手順の一例を示すフローチャートである。
【符号の説明】
【００３０】
１…携帯端末、１０１…TV放送受信部、１０２…TV放送復号部、１０３…エラーレート検出部、１０４…制御部、１０５…受信エリア情報保持部、１０６…位置情報検出部、１０７…向き情報検出部、１０８…表示部、１０９…時刻情報取得部
【図１】
2008099154.tif 000003
【図２】
2008099154.tif 000004
【図３】
2008099154.tif 000005
【図４】
2008099154.tif 000006
【図５】
2008099154.tif 000007
【図６】
2008099154.tif 000008
【図７】
2008099154.tif 000009